(57)【特許請求の範囲】
【請求項１】
光受信機の伝送速度調節装置において、
光電変換された状態で光受信機に受信された入力信号を遅延する遅延部と、
前記遅延部からの遅延信号と前記入力信号とを排他的論理和演算して直流レベルの形態で排他的論理和演算した後得られた信号を出力する直流レベル出力部と、
前記直流レベル出力部からの直流レベルをＡ／Ｄ変換するＡ／Ｄ変換部と、
前記入力信号を受信して伝送速度制御信号によってクロック及びデータを再生するクロック／データ再生部と、
所定のインタラプトタイミングごとに前記Ａ／Ｄ変換信号による直流レベル変化量を算出し、前記直流レベル変化量と所定の限界変化量との差によって、温度による直流レベルの変化であるか、または実際の伝送速度の変化であるかを判断して該当伝送速度制御信号を出力する制御部と
を含むことを特徴とする光受信機の伝送速度調節装置。
【請求項２】
前記直流レベル出力部は、
前記遅延信号と入力信号とを排他的論理和演算し、前記排他的論理和演算した後得られた信号を伝送速度認識信号として出力する演算部と、
前記伝送速度認識信号を受信し、前記受信された伝送速度認識信号を低域通過フィルタリングするフィルタと
からなることを特徴とする請求項１記載の光受信機の伝送速度調節装置。
【請求項３】
前記インタラプトタイミングが０．５秒で設定されると、前記限界変化量は２ディジットで設定されることを特徴とする請求項１記載の光受信機の伝送速度調節装置。
【請求項４】
直流レベル出力部、Ａ／Ｄ変換部、クロック／データ再生部、及び制御部を備える光受信機の伝送速度調節方法において、
前記Ａ／Ｄ変換部から出力される信号から現在の直流レベル値を検出する現在の直流レベル検出ステップと、
前記直流レベル検出ステップで検出された現在の直流レベルと予め貯蔵された直前の直流レベルとの差を直流レベル変化量として算出する直流レベル変化量算出ステップと、
前記直流レベル変化量と所定の限界変化量とを比較する直流レベル変化量と限界変化量との比較ステップと、
前記直流レベル変化量が限界変化量より小さいかまたは同一である場合は、現在の伝送速度をそのまま保持するための伝送速度保持信号出力ステップと、
前記直流レベル変化量が限界変化量より大きい場合は、前記直流レベル変化量が０より大きいか否かを判断する直流レベル変化量判断ステップと、
前記直流レベル変化量判断ステップで、直流レベル変化量が０より大きい場合低レベルの伝送速度変換信号を出力し、前記直流レベル変化量が０より大きくない場合高レベルの伝送速度変換信号を出力する伝送速度変換信号出力ステップとを含むことを特徴とする光受信機の伝送速度調節方法。
【請求項５】
前記伝送速度変換信号出力ステップの以後、前記クロック／データ再生部から出力されるロック信号によってリンクフォールトがあるか否かを判断するリンクフォールト確認ステップをさらに備えることを特徴とする請求項４記載の光受信機の伝送速度調節方法。
【発明の詳細な説明】
【０００１】
【発明の属する技術分野】
本発明は、光通信システム（Ｏｐｔｉｃａｌ  Ｃｏｍｍｕｎｉｃａｔｉｏｎ  Ｓｙｓｔｅｍ）に関し、特に、光交差接続装置（Ｏｐｔｉｃａｌ  Ｃｒｏｓｓ−Ｃｏｎｎｅｃｔ  Ｄｅｖｉｃｅ）の光受信機に関する。
【０００２】
【従来の技術】
光通信システムにおいて、中央基地局のような上位ノード（Ｕｐｐｅｒ  ｎｏｄｅ）と加入者のような下位ノード（Ｌｏｗｅｒ  ｎｏｄｅ）との間を連結する中間ノードには光交差接続装置が備えられる。前記光交差接続装置は、各チャンネル信号の伝達及び割当てに対する基本機能の以外にも、光ネットワーク上のトラヒック（ｔｒａｆｆｉｃ）、異常輻輳（ａｂｎｏｒｍａｌ  ｃｏｎｇｅｓｔｉｏｎ）及びネットワークの成長（ｇｒｏｗｔｈ）を最適化し、ネットワークの生存性（ｓｕｒｖｉｖａｂｉｌｉｔｙ）を改善する重要な役割を行う。  特に、波長分割多重化システムで使用される光交差接続装置は、逆多重化器、光受信機、交差接続スイッチ、制御器、光送信器、及び多重化器を備える。
【０００３】
一方、光通信システムには、“プロトコル（ｐｒｏｔｏｃｏｌ）”と呼ばれる多様な伝送フォーマットが適用されており、前記伝送フォーマットは、異なる伝送速度（ｂｉｔ  ｒａｔｅ）で情報の伝送が行われている。代表的な伝送フォーマットとして、ＳＤＨ／ＳＯＮＥＴ（Ｓｙｎｃｈｒｏｎｏｕｓ  Ｄｉｇｉｔａｌ  Ｈｉｅｒａｒｃｈｙ／Ｓｙｎｃｈｒｏｎｏｕｓ  Ｏｐｔｉｃａｌ  ＮＥＴｗｏｒｋ）、ＦＤＤＩ（Ｆｉｂｅｒ  Ｄｉｓｔｒｉｂｕｔｅｄ  Ｄａｔａ  Ｉｎｔｅｒｆａｃｅ）、ＥＳＣＯＮ（Ｅｎｔｅｒｐｒｉｓｅ  Ｓｙｓｔｅｍｓ  ＣＯＮｎｅｃｔｉｖｉｔｙ）、光ファイバチャンネル（Ｆｉｂｅｒ  Ｃｈａｎｎｅｌ）、ギガビットイーサネット（登録商標）（Ｇｉｇａｂｉｔ  Ｅｔｈｅｒｎｅｔ（登録商標））、及びＡＴＭ（Ａｓｙｎｃｈｒｏｎｏｕｓ  Ｔｒａｎｓｆｅｒ  Ｍｏｄｅ）などがあり、これらは、それぞれ１２５Ｍｂ／ｓ、１５５Ｍｂ／ｓ、２００Ｍｂ／ｓ、６２２Ｍｂ／ｓ、１．０６２Ｍｂ／ｓ、１．２５Ｇｂ／ｓ、２．５Ｇｂ／ｓなどの多様な伝送速度を有している。
【０００４】
従来の光受信機は、異なる伝送速度を有するプロトコルに適用できるようにするために、プログラマブルクロック／データ再生回路を備える。前記プログラマブルクロック／データ再生回路は、入力光信号から増幅された信号及び遅延した信号に基づいて発生した直流レベル値から判別された入力光信号の伝送速度に基づいて決定された基準クロックによって入力光信号のデータ及びクロックを再生する。
【０００５】
【発明が解決しようとする課題】
しかし、従来の光受信機は、入力光信号を増幅して遅延する回路の温度変化による伝送速度判断エラーまたはデータ損傷が発生する問題があり、これにより、光受信機の信頼性が低下するという問題があった
従って、本発明の目的は、温度変化による伝送速度の判断エラーを防止できる光受信機の伝送速度調節装置及びその方法を提供することにある。
【０００６】
【課題を解決するための手段】
前記目的を達成するために、本発明による光受信機の伝送速度調節装置は、光電変換された状態で光受信機に受信された入力信号を遅延する遅延部と、前記遅延部からの遅延信号と前記入力信号とを排他的論理和演算して直流レベルの形態で排他的論理和演算した後得られた信号を出力する直流レベル出力部と、前記直流レベル出力部からの直流レベルをＡ／Ｄ変換するＡ／Ｄ変換部と、前記入力信号を受信して伝送速度制御信号によってクロック及びデータを再生するクロック／データ再生部と、所定のインタラプトタイミングごと前記Ａ／Ｄ変換信号による直流レベル変化量を算出し、前記直流レベル変化量と所定の限界変化量との差によって、温度による直流レベルの変化であるか、または実際の伝送速度の変化であるかを判断して該当伝送速度制御信号を出力する制御部とを含むことを特徴とする。
【０００７】
また、本発明による直流レベル出力部、Ａ／Ｄ変換部、クロック／データ再生部、及び制御部を備える光受信機の伝送速度調節方法において、前記Ａ／Ｄ変換部から出力される信号から現在の直流レベル値を検出する現在の直流レベル検出ステップと、前記直流レベル検出ステップで検出された現在の直流レベルと予め貯蔵された直前の直流レベルとの差を直流レベル変化量として算出する直流レベル変化量算出ステップと、前記直流レベル変化量と所定の限界変化量とを比較する直流レベル変化量と限界変化量との比較ステップと、前記直流レベル変化量が限界変化量より小さいかまたは同一である場合は、現在の伝送速度をそのまま保持するための伝送速度保持信号出力ステップと、前記直流レベル変化量が限界変化量より大きい場合は、前記直流レベル変化量が０より大きいか否かを判断する直流レベル変化量判断ステップと、前記直流レベル変化量判断ステップで、直流レベル変化量が０より大きい場合低レベルの伝送速度変換信号を出力し、前記直流レベル変化量が０より大きくない場合高レベルの伝送速度変換信号を出力する伝送速度変換信号出力ステップとを含むことを特徴とする。
【０００８】
【発明の実施の形態】
以下、本発明の好適な実施形態を添付図面を参照して詳しく説明する。なお、図面中、同一の構成及び要素には同一の符号を共通して使用するものとする。下記の説明において、特定事項が具体的に示されているが、これは、本発明のより全般的な理解を助けるために提供されたものであるだけ、これら特定事項が本発明の思想及び範囲を逸脱しない限り、多様な変更及び変形が可能であることは、当該技術分野における通常の知識を持つ者には自明である。
【０００９】
図１は、本発明の好適な実施形態による光受信機の伝送速度調節装置を示すブロック図である。同図に示すように、本発明による光受信機の伝送速度調節装置は、光電変換部１００、増幅部２００、遅延部３００、直流レベル出力部４００、Ａ／Ｄ変換部５００、クロック／データ再生部６００、及び制御部７００を含む。
【００１０】
前記光電変換部１００は、入力光信号を電気信号へ変換する。前記増幅部２００は、前記光電変換部１００から出力された電気信号を所定の増幅比率で増幅する。
【００１１】
前記遅延部３００は、前記増幅部２００から出力された信号を所定の遅延時間だけ遅延させる。
【００１２】
前記直流レベル出力部４００は、前記遅延信号と入力信号とを排他的論理和演算し、前記排他的論理和演算した後得られた信号を伝送速度認識信号として出力する演算部と、前記伝送速度認識信号を受信し、前記受信された伝送速度認識信号を低域通過フィルタリングするフィルタとからなっている。したがって、前記直流レベル出力部４００は、前記増幅部２００からの出力信号と遅延部３００からの遅延信号とを排他的論理和演算し、直流レベルの形態でその結果信号を出力する。すなわち、前記直流レベル出力部４００は、排他的論理和演算によって発生した信号を低域通過フィルタリングし、これにより、処理された信号の直流レベルを出力する。
【００１３】
前記Ａ／Ｄ変換部５００は、前記直流レベル出力部４００から出力された直流レベルのＡ／Ｄ変換を遂行する。
【００１４】
前記クロック／データ再生部６００は、前記増幅部２００からの出力信号が入力され、制御部７００から出力された伝送速度制御信号に応じて発生する基準クロックによってクロック及びデータを再生する。すなわち、前記クロック／データ再生部６００は、基準クロックによって入力された信号をリシェイピング（ｒｅｓｈａｐｉｎｇ）、リジェネレーション（ｒｅｇｅｎｅｒａｔｉｏｎ）、及びリタイミング（ｒｅｔｉｍｉｎｇ）させる。
【００１５】
前記制御部７００は、所定のインタラプトタイミングごと前記Ａ／Ｄ変換信号による直流レベル変化量を算出する。その後、前記算出された直流レベル変化量と所定の限界変化量との差に基づいて、直流レベル変化量が温度による変化であるか、または実際の伝送速度の変化であるかを判断する。その判断結果によって、前記制御部７００は、該当伝送速度制御信号を出力する。前記直流レベル変化量が所定の限界変化量より小さいかまたは同じである場合、前記制御部７００は、直流レベル変化量が温度による変化と判断する。一方、前記直流レベル変化量が所定の限界変化量より大きい場合、前記制御部７００は、直流レベル変化量が伝送速度による変化と判断する。
【００１６】
図２は、本発明の好適な実施形態による光受信機の伝送速度調節方法を示すフローチャートである。同図に示すように、このような伝送速度調節方法は、現在の直流レベル検出ステップＳ１０、直流レベル変化量算出ステップＳ２０、直流レベル変化量と限界変化量との比較ステップＳ３０、伝送速度保持信号出力ステップＳ４０、直流レベル変化量判断ステップＳ５０、及び伝送速度変換信号出力ステップＳ５２及びＳ６０を含む。
【００１７】
前記現在の直流レベル検出ステップＳ１０で、前記Ａ／Ｄ変換部５００から出力された信号から現在の直流レベル値を検出する。
【００１８】
前記直流レベル変化量の算出ステップＳ２０で、直流レベル変化量は、前記現在の直流レベル検出ステップＳ１０で検出された現在の直流レベルとメモリに貯蔵された直前の直流レベルとの差を算出することにより得られる。
【００１９】
前記直流レベル変化量と限界変化量との比較ステップＳ３０は、前記ステップＳ２０で算出された前記直流レベル変化量と所定の限界変化量とを比較する。前記限界変化量は、直流レベル変化量が温度による変化であるか、または実際の伝送速度による変化であるかを判断する基準として使用される。前記限界変化量は、インタラプトタイミング、それに従う温度による直流レベル変化量、及び実際の伝送速度による最小直流レベル変化量を考慮して決定される。インタラプトタイミングを０．５秒で設定した場合、温度による直流レベル変化量は最大１ディジットに該当する。このような場合、実際の伝送速度による直流レベル変化量は最小３ディジットに該当する。従って、このときの限界変化量は、１ディジット及び３ディジットの中間値、すなわち、２ディジットで設定されることができる。
【００２０】
前記伝送速度保持信号出力ステップＳ４０は、前記直流レベル変化量と限界変化量との比較ステップＳ３０で、直流レベル変化量が限界変化量より小さいかまたは同じである場合、現在の伝送速度をそのまま保持するステップである。すなわち、直流レベル変化量が限界変化量より小さいかまたは同じである場合は、実際の伝送速度による直流レベルの変化ではない温度による直流レベルの変化であるので、現在の伝送速度をそのまま保持するための伝送速度保持信号を出力する。
【００２１】
前記直流レベル変化量判断ステップＳ５０は、前記直流レベル変化量と限界変化量との比較ステップＳ３０で、前記直流レベル変化量が限界変化量より大きい場合は、前記直流レベル変化量が０より大きいか否かを判断する。すなわち、直流レベル変化量が限界変化量より大きい場合は、実際の伝送速度の変化による直流レベルの変化である。従って、この場合、所望の伝送速度を変換するために直流レベル変化量が正の値であるかまたは負の値であるかを判断する。
【００２２】
前記伝送速度変換信号出力ステップは、前記直流レベル変化量判断ステップＳ５０で直流レベルの変化量が０より大きい場合、低レベルの伝送速度変換信号を出力するステップＳ５２と、前記直流レベル変化量が０より大きくない場合、高レベルの伝送速度変換信号を出力するステップＳ６０とを含む。
【００２３】
前記低レベル及び高レベルの伝送速度変換信号を出力するステップＳ５２及びステップＳ６０の以後、クロック／データ再生部６００からのＰＬＬロック信号によって、それぞれリンクフォールト（Ｌｉｎｋ  ｆａｕｌｔ）が０であるか否かを判断するリンクフォールト判断ステップＳ５４及びＳ６２を通じて、リンクフォールトが０の場合は伝送速度保持信号出力ステップＳ５６へ進行し、そうではない場合は、高レベルの伝送速度変換信号出力ステップＳ５８または低レベルの伝送速度変換信号出力ステップＳ６４へ進行する。
【００２４】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００２５】
【発明の効果】
以上から述べてきたように、本発明による光受信機の伝送速度調節装置及びその方法は、直流レベルで検出された変化が温度による変化であるか、または実際の伝送速度による変化であるかを予め判断した後、前記検出された直流レベル変化量が実際の伝送速度による変化であるときのみ所望の伝送速度変換のための手順を遂行する。従って、温度変化による伝送速度の判断エラーを無くし、これにより、光受信機の信頼性を高めることができる長所がある。
【図面の簡単な説明】
【図１】本発明の好適な実施形態による光受信機の伝送速度調節装置を示すブロック図である。
【図２】本発明の好適な実施形態による光受信機の伝送速度調節方法を示すフローチャートである。
【符号の説明】
１００  光電変換部
２００  増幅部
３００  遅延部
４００  直流レベル出力部
５００  Ａ／Ｄ変換部
６００  クロック／データ再生部
７００  制御部
【図１】
0003612046.tif 000002
【図２】
0003612046.tif 000003